(57)【特許請求の範囲】
【請求項１】
ａ）ケーシング正面において後方に傾斜させた目盛板と、
ｂ）前記目盛板に対して直角な指針軸に回転変位を生じてゴム硬度の指示を行うためのダイアルゲージ機構であって、前記指針軸に平行してケーシング内空間に突出した入力ピニオンを装備したものと、
ｃ）ケーシング下端部の遊合孔を貫通した下向き押針を垂直スピンドルにより支持し、前記押針のゴム加圧用の先端が無負荷時において前記遊合孔から一定寸法だけ突出するように前記垂直スピンドルを常時下向きに付勢するスプリング及び突出制止部を備えた押針保持構造と、
ｄ）前記垂直スピンドルの上部に前記目盛板と平行した傾斜角度で設けられ、かつ、前記入力ピニオンと直接噛合するラックと、を備え、
ｅ）前記ラックが、前記入力ピニオンとの噛合状態を維持しつつ、前記押針先端のケーシング下端からの出没動作に従動して上下動することにより、前記入力ピニオンを回転させるようになっていることを特徴とする傾斜ダイアル型ゴム硬度計。
【発明の詳細な説明】
【０００１】
【発明の属する技術分野】
本発明は携帯型ゴム硬度計の改良に関するものである。
【０００２】
【従来の技術】
ゴム硬度計、特にＪＩＳＫ６２５３等の規格で「デュロメータ」として規定された携帯型のゴム硬度計の本体は、図１Ａに示す通りケーシング下端面から突出した押針１を水平面上に置かれたゴム試料面に垂直に押し当て、ゴム硬度に応じた後退寸法をケーシング正面のダイアル２に装備された指針３の回転角に変換するものである。その押針保持及び変位伝達機構は、図１Ｂに示す通り押針１を保持したスピンドル４の中央部側面にラック５を設置もしくは形成し、これに指針駆動機構（ダイアルゲージ機構）の入力ピニオン６を噛み合わせたものである。なお、スピンドル４の上方にはスプリング７が配置され、これがスピンドル４上端のアタッチメント８を付勢し、ゴム硬度に応じた押針１の後退量を決定するようになっている。
【０００３】
上記の構造において、ピニオン６が押針１の延長線上において垂直配置されたラック５と噛み合うためにはその軸が水平配置されねばならず、単純な伝動機構によってこのピニオン６と連動する指針３の軸もまた水平配置されなければならない。この関係において指針３はラック５と同じく垂直面内に位置したダイアル２の目盛板上で動作するものである。なお、ここでいう「垂直」とは相対的意味での垂直ではなく、ゴム硬度計使用上の「水平」に対する「垂直」、従って方位的意味において用いたものである。
【０００４】
この垂直面内の目盛板を測定者が正面から見るためには、作業机上のゴム硬度計を押さえつつ椅子から腰を浮かせて中腰や膝をつく姿勢になったり、座ったままでも無理な姿勢をとってゴム硬度計の正面を覗き込まなければならない。
【０００５】
【発明が解決しようとする課題】
本発明の目的は、測定者が椅子に座ったままでも目盛板を正面から見ることができるようにしたゴム硬度計を提供することである。
【０００６】
【課題を解決するための手段】
上記の目的を達成するため、本発明のゴム硬度計は、ａ）ケーシング正面において後方に傾斜させた目盛板と、
ｂ）前記目盛板に対して直角な指針軸に回転変位を生じてゴム硬度の指示を行うためのダイアルゲージ機構であって、前記指針軸に平行してケーシング内空間に突出した入力ピニオンを装備したものと、
ｃ）ケーシング下端部の遊合孔を貫通した下向き押針を垂直スピンドルにより支持し、前記押針のゴム加圧用の先端が無負荷時において前記遊合孔から一定寸法だけ突出するように前記垂直スピンドルを常時下向きに付勢するスプリング及び突出制止部を備えた押針保持構造と、
ｄ）前記垂直スピンドルの上部に前記目盛板と平行した傾斜角度で設けられ、かつ、前記入力ピニオンと直接噛合するラックと、を備え、
ｅ）前記ラックが、前記入力ピニオンとの噛合状態を維持しつつ、前記押針先端のケーシング下端からの出没動作に従動して上下動することにより、前記入力ピニオンを回転させるようにしたものである。
【０００７】
上記の構造において、目盛板の後方傾斜角度は２５°〜３５°、なるべくなら３０°程度であることが望ましい。そしてダイアルゲージ機構のピニオンは、傾斜角度の正弦に応じた余裕寸法を有し、ゴム硬度に対応した押針の後退を傾斜した目盛板上の指針回転変位として正確に伝達する。これにより、測定者は作業机上のゴム硬度計を操作しつつ腰掛けた自然の姿勢で手元のゴム硬度計目盛板を見ることができる。
【０００８】
【発明の実施の形態】
図２は、本発明の一実施例におけるゴム硬度計の側断面を示すもので、ケーシング１０の正面上部は、例えば後方に３０°傾斜し、この傾斜面内において目盛板１１及び指針１２を有するダイアル構造１３が装備される。ケーシング１０内において目盛板１１の裏側にはこの板面に対して直角な指針軸１４が突入し、この軸１４に回転変位を生じてゴム硬度の指示を行うためのダイアルゲージ機構１５が装備されている。ダイアルゲージ機構１５の入力端は、指針軸１４に平行した角度でケーシング内空間に位置する軸長型ピニオン１６である。
【０００９】
ピニオン１６は、ケーシング１０の中間部以下に装備された押針保持構造の上端に固定され、目盛板１１と平行に傾斜配置されたラック１７と噛み合っている。この場合、ピニオン軸は水平に対して３０°傾斜し、ラック１７の歯面は垂直面内に位置するが、各歯条の方向も同様に３０°傾斜しているため、ピニオンとの噛合が可能となる。押針１８は使用時に水平となるケーシング１０下端面の遊合孔１９を貫通して下向きに突出し、この押針１８の上端は垂直スピンドル２０により支持される。スピンドル２０は、ケーシング１０下部に嵌め込んだ下部軸受け２１と、棚部３０に圧入された上部軸受２２によって保持され、上端の支持ブロック２３を介してラック１７の下端を固定支持したものである。
【００１０】
スピンドル２０と下部軸受２１及び上部軸受２２を主体とする押針１８の保持構造は、その押針１８を下向きに付勢するためのスプリング２４を含んでいる。棚部３０における上部軸受２２の上端にネジ係合した上部フランジ２２ａは、支持ブロック２３の下面を制止する突出制止部として、押針１８の先端を無負荷時において前記遊合孔１９から調整された寸法だけ突出させる。同じく上部軸受２２の下端にネジ係合した下部フランジ２２ｂは、スピンドル２０に形成された鍔部２５との間で前記スプリング２４を挟持するバネ座となる。図３からも明らかなとおり、棚部３０の先端には上部フランジ２２ａ及び下部フランジ２２ｂを固定するためのクランプ板２６が取り付けられ、そのクランプネジ２７ａ、２７ｂによりこれらのフランジ２２ａ、２２ｂを締めつけることができる。同じく図３において、支持ブロック２３から突出したガイド棒２８は、棚部３０に固定されたガイド溝ブロック２９の溝内に位置し、スピンドル２０の軸旋回を拘束する。それにより、押針１８がゴム試料面を加圧して押し上げられたとき、これに伴って上昇するスピンドル２０、従ってラック１７は、ピニオン１６と常時噛み合う角度に維持される。
【００１１】
上記実施例の構造においては、ケーシング下端から突出した押針１８がゴム面に押されてその硬度に応じて後退（上昇）するとき、傾斜配置されたラック１７も上昇して順次下側の歯がピニオン１６と噛合することになるが、その噛合位置はラック傾斜角度（この場合３０°）の正弦をその上昇距離に掛けた分だけピニオン軸方向に移動し、逆にピニオン１６はこの噛合位置の横移動を許容するだけの軸方向長さを有するが故に、指針１２は傾斜した目盛板１１（図４）上を、目盛り“０”から“１００”までの全範囲において回動できることになる。従って測定者は作業机上のゴム硬度計を操作しつつ腰掛けた自然の姿勢において、斜め下方に顔を向けることにより手元のゴム硬度計目盛板を見ることができる。
【００１２】
【発明の効果】
以上述べた通り、本発明によれば簡単ではあるが独自の（ピニオン軸方向に相互に摺動しつつ噛み合う）ラック─ピニオン係合構造により、垂直押針に対して後方に傾斜した目盛板を設け、操作及び観察作業を容易にしたゴム硬度計を提供するものである。
【図面の簡単な説明】
【図１】従来の典型的な携帯用ゴム硬度計本体の実施例を示す正面図（Ａ）、及び一部破断側面図（Ｂ）である。
【図２】本発明の実施例におけるゴム硬度計の側断面である。
【図３】図２に示したゴム硬度計の背面図である。
【図４】図２に示したゴム硬度計の傾斜した目盛板部の正面を示す図である。
【符号の説明】
１０  ケーシング
１１  目盛板
１４  指針軸
１５  ダイアルゲージ機構
１６  ピニオン
１７  ラック
１８  押針
１９  遊合孔
２０  スピンドル
２２ａ  上部フランジ（突出制止部）
２４  スプリング
【図１】
0003936791.tif 000002
【図２】
0003936791.tif 000003
【図３】
0003936791.tif 000004
【図４】
0003936791.tif 000005